(57)【要約】【課題】ユーザーが楽しみながら運動習慣を身につけられるようにサポートすること。【解決手段】運動情報を計測する運動管理機器１と、運動管理機器１で計測した運動情報にユーザー識別情報を付加して管理サーバー５に送信する情報処理端末２と、ユーザー識別情報および運動課題要求を管理サーバー５に送信すると共に、管理サーバー５から送信された運動課題を印刷するＰＯＳプリンター４と、ＰＯＳプリンター４からユーザー識別情報および運動課題要求が送信されたとき、前回提供した運動課題と情報処理端末２から受信した運動情報を照合して運動課題を達成したか否かを判定し、運動課題を達成したと判定した場合、新たな運動課題をＰＯＳプリンター４に送信する管理サーバー５と、を備えた。【選択図】図１
2016118946.tif 000002
【特許請求の範囲】
【請求項１】
ユーザー機器、印刷装置およびサーバーを含み、前記ユーザー機器を所有するユーザーに対し運動課題を提供する運動課題提供システムであって、
前記ユーザー機器は、
前記ユーザーの運動に関する情報である運動情報を計測する計測部と、
計測した前記運動情報に、ユーザー識別情報を付加して前記サーバーに送信する送信部と、を備え、
前記印刷装置は、
前記ユーザー識別情報を取得する取得部と、
取得した前記ユーザー識別情報と、前記運動課題を取得するための運動課題要求と、を前記サーバーに送信する送信部と、
前記サーバーから送信された前記運動課題を印刷する印刷部と、を備え、
前記サーバーは、
前記ユーザー機器から送信された前記ユーザー識別情報および前記運動情報をデータベースに記録する記録部と、
前記印刷装置から前記ユーザー識別情報および前記運動課題要求が送信されたとき、前記データベースを参照し、当該ユーザー識別情報のユーザーが、前回提供した前記運動課題を達成したか否かを判定する判定部と、
前記運動課題を達成したと判定した場合、前記ユーザーに対する新たな前記運動課題を前記印刷装置に送信する第１の送信部と、を備えることを特徴とする運動課題提供システム。
【請求項２】
前記印刷部は、前記運動課題として、当該運動課題をダウンロードするためのコード画像を印刷することを特徴とする請求項１に記載の運動課題提供システム。
【請求項３】
前記印刷装置は、ＰＯＳプリンターであり、
前記取得部は、会計時に前記ユーザー識別情報を取得し、
前記印刷部は、前記コード画像を会計レシートに印刷することを特徴とする請求項２に記載の運動課題提供システム。
【請求項４】
前記第１の送信部は、新たな前記運動課題と共に、達成した前記運動課題に応じたインセンティブを示すインセンティブ情報を前記印刷装置に送信し、
前記印刷部は、前記コード画像および前記インセンティブ情報を前記会計レシートに印刷することを特徴とする請求項３に記載の運動課題提供システム。
【請求項５】
前記判定部は、所定のタイミングで、前記データベースに記録された前記運動課題と前記運動情報を照合し、任意のユーザーが前記運動課題を達成したか否かを判定し、
前記サーバーは、
任意のユーザーが前記運動課題を達成したと判定したとき、当該任意のユーザーの前記ユーザー機器に、前記運動課題を達成した旨を示す課題達成情報を送信する第２の送信部をさらに備え、
前記ユーザー機器は、
前記課題達成情報を前記ユーザーに報知する報知部をさらに備えることを特徴とする請求項１ないし４のいずれか１項に記載の運動課題提供システム。
【請求項６】
前記ユーザー機器は、
前記計測部を備えた運動管理機器と、
前記送信部および前記報知部を備え、前記運動管理機器と通信可能な情報処理端末と、を含むことを特徴とする請求項５に記載の運動課題提供システム。
【請求項７】
請求項１ないし６のいずれか１項に記載の運動課題提供システムに適用される印刷装置。
【請求項８】
ユーザー機器、印刷装置およびサーバーを含み、前記ユーザー機器を所有するユーザーに対し運動課題を提供する運動課題提供システムの制御方法であって、
前記ユーザー機器が、
前記ユーザーの運動に関する情報である運動情報を計測する計測ステップと、
計測した前記運動情報に、ユーザー識別情報を付加して前記サーバーに送信する送信ステップと、を実行し、
前記印刷装置が、
前記ユーザー識別情報を取得する取得ステップと、
取得した前記ユーザー識別情報と、前記運動課題を取得するための運動課題要求と、を前記サーバーに送信する送信ステップと、
前記サーバーから送信された前記運動課題を印刷する印刷ステップと、を実行し、
前記サーバーが、
前記ユーザー機器から送信された前記ユーザー識別情報および前記運動情報をデータベースに記録する記録ステップと、
前記印刷装置から前記ユーザー識別情報および前記運動課題要求が送信されたとき、前記データベースを参照し、当該ユーザー識別情報のユーザーが、前回提供した前記運動課題を達成したか否かを判定する判定ステップと、
前記運動課題を達成したと判定した場合、前記ユーザーに対する新たな前記運動課題を前記印刷装置に送信する第１の送信ステップと、を実行することを特徴とする運動課題提供システムの制御方法。
【発明の詳細な説明】
【技術分野】
【０００１】
本発明は、ユーザーに対して運動課題を提供する運動課題提供システム、印刷装置および運動課題提供システムの制御方法に関する。
【背景技術】
【０００２】
従来、例えば特許文献１には、イベント参加者が携帯電話で二次元コードをスキャニングしてＷｅｂサーバーにアクセスすることにより、動画を閲覧可能なイベント演出システムが開示されている。また、特許文献２には、年賀はがきに印刷された二次元コードを携帯電話で読み取り、ダウンロードした当選番号と照合して、当選または落選を判定するイベント情報取得システムが開示されている。
【先行技術文献】
【特許文献】
【０００３】
【特許文献１】特開２００９−２８２８７６号公報
【特許文献２】特開２００５−１１５４４４号公報
【発明の概要】
【発明が解決しようとする課題】
【０００４】
これらの特許文献は、ユーザーに対する情報提供を目的として二次元コードを用いる点で共通するが、一過性の情報提供にすぎないため、イベント演出効果として乏しいといった課題がある。つまり、ユーザーに対し継続的に楽しみを与えられるような効果はない。
【０００５】
一方、厚生労働省は、生活習慣病予防および介護予防の観点から運動習慣の徹底を推奨している。ところが、現実的には運動習慣を身につけられず挫折してしまう人が多い。そこで、このような人達が楽しみながら運動を継続できるようなサービスの提供が望まれている。
【０００６】
本発明は、上記の課題に鑑み、ユーザーが楽しみながら運動習慣を身につけられるようにサポートする運動課題提供システム、印刷装置および運動課題提供システムの制御方法を実現することを目的とする。
【問題を解決するための手段】
【０００７】
本発明の運動課題提供システムは、ユーザー機器、印刷装置およびサーバーを含み、ユーザー機器を所有するユーザーに対し運動課題を提供する運動課題提供システムであって、ユーザー機器は、ユーザーの運動に関する情報である運動情報を計測する計測部と、計測した運動情報に、ユーザー識別情報を付加してサーバーに送信する送信部と、を備え、印刷装置は、ユーザー識別情報を取得する取得部と、取得したユーザー識別情報と、運動課題を取得するための運動課題要求と、をサーバーに送信する送信部と、サーバーから送信された運動課題を印刷する印刷部と、を備え、サーバーは、ユーザー機器から送信されたユーザー識別情報および運動情報をデータベースに記録する記録部と、印刷装置からユーザー識別情報および運動課題要求が送信されたとき、データベースを参照し、当該ユーザー識別情報のユーザーが、前回提供した運動課題を達成したか否かを判定する判定部と、運動課題を達成したと判定した場合、ユーザーに対する新たな運動課題を印刷装置に送信する第１の送信部と、を備えることを特徴とする。
【０００８】
本発明の運動課題提供システムの制御方法は、ユーザー機器、印刷装置およびサーバーを含み、ユーザー機器を所有するユーザーに対し運動課題を提供する運動課題提供システムの制御方法であって、ユーザー機器が、ユーザーの運動に関する情報である運動情報を計測する計測ステップと、計測した運動情報に、ユーザー識別情報を付加してサーバーに送信する送信ステップと、を実行し、印刷装置が、ユーザー識別情報を取得する取得ステップと、取得したユーザー識別情報と、運動課題を取得するための運動課題要求と、をサーバーに送信する送信ステップと、サーバーから送信された運動課題を印刷する印刷ステップと、を実行し、サーバーが、ユーザー機器から送信されたユーザー識別情報および運動情報をデータベースに記録する記録ステップと、印刷装置からユーザー識別情報および運動課題要求が送信されたとき、データベースを参照し、当該ユーザー識別情報のユーザーが、前回提供した運動課題を達成したか否かを判定する判定ステップと、運動課題を達成したと判定した場合、ユーザーに対する新たな運動課題を印刷装置に送信する第１の送信ステップと、を実行することを特徴とする。
【０００９】
本発明の印刷装置は、上記の運動課題提供システムに適用されることを特徴とする。
【００１０】
本発明の構成によれば、運動課題を達成したユーザーに対して、新たな運動課題を提供するため、ユーザーは目的意識を持って楽しみながら運動習慣を身につけることができる。また、印刷装置からサーバーに運動課題要求を送信する構成であるため、ユーザーは新たな運動課題を得るために印刷装置の設置場所に赴く必要がある。これにより、ユーザーに外出の機会を与えて更なる運動効果が期待できると共に、印刷装置を設置する店舗等の集客効果も期待できる。
【００１１】
上記の運動課題提供システムにおいて、印刷部は、運動課題として、当該運動課題をダウンロードするためのコード画像を印刷することを特徴とする。
【００１２】
本発明の構成によれば、情報量の制限がないため、運動課題を動画で説明するなど、より詳細な情報をユーザーに提供することができる。
【００１３】
上記の運動課題提供システムにおいて、印刷装置は、ＰＯＳプリンターであり、取得部は、会計時にユーザー識別情報を取得し、印刷部は、コード画像を会計レシートに印刷することを特徴とする。
【００１４】
本発明の構成によれば、会計時に運動課題を提供するため、販促効果が期待できる。
【００１５】
上記の運動課題提供システムにおいて、第１の送信部は、新たな運動課題と共に、達成した運動課題に応じたインセンティブを示すインセンティブ情報を印刷装置に送信し、印刷部は、コード画像およびインセンティブ情報を会計レシートに印刷することを特徴とする。
【００１６】
本発明の構成によれば、運動課題だけでなく、達成した運動課題に応じたインセンティブを付与するため、ユーザーの運動課題達成へのモチベーションを高めることができる。
なお、「インセンティブ情報」とは、クーポン情報やポイント情報などを指す。
【００１７】
上記の運動課題提供システムにおいて、判定部は、所定のタイミングで、データベースに記録された運動課題と運動情報を照合し、任意のユーザーが運動課題を達成したか否かを判定し、サーバーは、任意のユーザーが運動課題を達成したと判定したとき、当該任意のユーザーのユーザー機器に、運動課題を達成した旨を示す課題達成情報を送信する第２の送信部をさらに備え、ユーザー機器は、課題達成情報をユーザーに報知する報知部をさらに備えることを特徴とする。
【００１８】
本発明の構成によれば、ユーザーは、運動課題を達成したことをユーザー機器からの報知によって知ることができる。これにより、新たな運動課題を得るため（およびインセンティブを得るため）、印刷装置の設置場所へ赴こうとする意欲が高まり、印刷装置を設置する店舗等の更なる集客効果が期待できる。
なお、「報知部」とは、表示部、ＬＥＤ点灯部、音声出力部、振動部などを含む概念である。
【００１９】
上記の運動課題提供システムにおいて、ユーザー機器は、計測部を備えた運動管理機器と、送信部および報知部を備え、運動管理機器と通信可能な情報処理端末と、を含むことを特徴とする。
【００２０】
本発明の構成によれば、情報処理端末として、通信機能や表示機能を有する携帯電話やスマートフォンを用いることができる。これにより、運動管理機器の構成を簡素化し、低廉化を図ることができる。
【図面の簡単な説明】
【００２１】
【図１】本発明の一実施形態に係る運動課題提供システムのシステム構成図である。
【図２】運動管理機器および情報処理端末の機能構成を示すブロック図である。
【図３】ＰＯＳプリンターの機能構成を示すブロック図である。
【図４】管理サーバーの機能構成を示すブロック図である。
【図５】会計レシートの説明図である。
【図６】データベースの説明図である。
【図７】課題達成記録画面の表示例を示す図である。
【図８】運動情報送信処理の流れを示すフローチャートである。
【図９】運動課題提供処理の流れを示すフローチャートである。
【発明を実施するための形態】
【００２２】
以下、本発明の一実施形態に係る運動課題提供システム、印刷装置および運動課題提供システムの制御方法について、添付図面を参照しながら詳細に説明する。本実施形態では、運動課題として、ランニング（ジョギング）の課題を提供する例を示す。
【００２３】
図１は、運動課題提供システムＳＹのシステム構成図である。運動課題提供システムＳＹは、ユーザーが所有・保持する運動管理機器１および情報処理端末２と、店舗に設置されるＰＯＳ（Point  Of  Sales）端末３およびＰＯＳプリンター４（印刷装置）と、インターネット等のネットワーク上に構築される管理サーバー５（サーバー）と、を備える。
【００２４】
運動管理機器１は、ユーザーの身体の一部に装着されるか、ユーザーがこれを所持した状態でランニングを行うことで、ランニング中であるか否か、および走行距離を計測する。これらの計測は、ユーザーの生体情報を計測する生体情報センサー（心拍数センサーや脈拍数センサー等）、ユーザーの動きを検出するモーションセンサー（加速度センサーや方向センサー等）、ＧＰＳ（Global  Positioning  System）受信機、などを組み合わせて用いる。
【００２５】
情報処理端末２は、運動管理機器１と通信可能に構成され、運動管理機器１と連携する専用アプリケーション２０がインストールされている。通信手段としては、近距離無線通信、赤外線通信などの非接触通信を用いることが好ましいが、有線通信を用いても良い。専用アプリケーション２０は、運動管理機器１から測定結果を取得し、計測結果の記録・集計、記録・集計結果の表示、記録・集計結果の出力、などを行う。また、情報処理端末２は、カメラ機能およびネットワーク通信機能を有しており、会計レシートＲに印刷された二次元コード６０（コード画像，図５参照）を読み取り、その読み取り結果に基づいて管理サーバー５から運動課題を取得する。なお、情報処理端末２としては、スマートフォンや携帯電話などの携帯端末を用いることが好ましいが、パーソナルコンピューターや大型のタブレット端末などを用いても良い。
【００２６】
ＰＯＳ端末３は、ユーザーが購入した商品に対する会計処理（精算処理）および会計処理結果を印刷するための会計情報（印刷データ）の生成を行う。ＰＯＳプリンター４は、ＰＯＳ端末３から出力された会計情報をレシート用紙に印刷し、会計レシートＲを発行する。また、本実施形態のＰＯＳプリンター４は、管理サーバー５とネットワーク通信を行う通信機能を有しており、管理サーバー５から取得した情報を会計レシートＲに印刷する。管理サーバー５から取得する情報は、二次元コード６０を印刷するためのコード画像（以下、単に「二次元コード６０」と称する）とクーポン情報である。以下、これら二次元コード６０およびクーポン情報を「付加情報」と総称する（図５参照）。
【００２７】
管理サーバー５は、運動課題提供システムＳＹを統括管理するサーバーであり、複数の情報処理端末２および複数のＰＯＳプリンター４と通信する（図１では、１台ずつ図示）。具体的には、運動管理機器１によって計測されたユーザーのランニング状況を運動情報として情報処理端末２から取得し、これをユーザー識別情報と共にデータベース５０に記録する。また、管理サーバー５は、データベース５０に記録された運動情報と前回提供した運動課題とを照合し、ユーザーが所定の運動課題を達成した（クリア）と判定した場合は、運動課題を達成した旨の課題達成情報を情報処理端末２に送信する。ユーザーは、情報処理端末２に表示された課題達成情報により、運動課題を達成したことを把握する。
【００２８】
一方、ユーザーは、運動課題提供システムＳＹに加盟する店舗で買い物をすると、情報処理端末２を提示し、ＰＯＳプリンター４に対してユーザー識別情報を提供する。管理サーバー５は、ＰＯＳプリンター４から、ユーザー識別情報を取得すると、当該ユーザーが運動課題を達成したか否かを判定し、運動課題を達成したと判定した場合は、ＰＯＳプリンター４に付加情報を送信する。ＰＯＳプリンター４は、当該付加情報に基づいて、新たな運動課題をダウンロードするための二次元コード６０と、運動課題達成に対してのインセンティブであるクーポン情報を会計レシートＲに印刷する。ユーザーは、会計レシートＲに印刷された二次元コード６０を情報処理端末２により読み取ることで、新たな運動課題を入手する。
【００２９】
なお、ユーザーが、最初の運動課題を入手する方法としては、二次元コード６０が印刷された印刷物（チラシなど）や画面（テレビやコンピューター画面など）を情報処理端末２により読み取る、専用アプリケーション２０により最初の運動課題を表示する、などが考えられる。
【００３０】
また、店舗におけるユーザー識別情報の提供は、情報処理端末２から行うのではなく、ユーザー識別情報が記録された会員カードをカードリーダーに読み取らせたり、ユーザーがテンキーパッドにユーザー識別情報を入力したりすることによって行っても良い。
【００３１】
次に、図２ないし図４を参照し、運動課題提供システムＳＹを構成する各構成要素の機能構成について説明する。図２は、運動管理機器１および情報処理端末２の機能構成を示すブロック図である。運動管理機器１は、計測部１１およびＡ通信部１２を備える。
【００３２】
計測部１１は、ユーザーの運動に関する情報である運動情報を計測する。本実施形態では、運動情報として、ランニングに伴うユーザーの生体情報や位置情報の変化を計測する。Ａ通信部１２は、通信手段Ａ（通信規格Ａ）に基づいて情報処理端末２と通信を行う。通信手段Ａとしては、近距離無線通信や赤外線通信などを用いる。Ａ通信部２１は、情報処理端末２に対し運動情報を送信する。
【００３３】
一方、情報処理端末２は、Ａ通信部２１、表示部２２（報知部）、Ｂ通信部２３（送信部）、識別情報記憶部２４、Ｃ通信部２５およびコード読み取り部２６を備える。
【００３４】
Ａ通信部２１は、通信手段Ａに基づいて運動管理機器１と通信を行い、運動情報を受信する。表示部２２は、運動管理機器１から受信した運動情報、運動情報の集計値、運動情報の解析結果等を表示する。また、表示部２２は、管理サーバー５によって運動課題を達成したと判定された場合、その旨を示す課題達成情報を表示する。課題達成情報は、文字、記号、静止画像、動画像等として表示される。
【００３５】
識別情報記憶部２４は、情報処理端末２を所有するユーザーのユーザー識別情報を記憶する。当該ユーザー識別情報は、専用アプリケーション２０を用いてユーザーが入力した情報、または専用アプリケーション２０によって自動設定された情報を用いる。なお、ユーザー識別情報として、運動管理機器１または情報処理端末２の識別情報（機器ＩＤ／端末ＩＤなど）を用いても良い。
【００３６】
Ｂ通信部２３は、通信手段Ｂに基づいて管理サーバー５と通信を行う。通信手段Ｂとしては、無線／有線ＬＡＮ通信、電話回線、衛星回線、インターネット回線などを用いる。Ｂ通信部２３は、管理サーバー５に対し、運動管理機器１から取得した運動情報と、識別情報記憶部２４から読み出したユーザー識別情報を送信する。また、Ｂ通信部２３は、管理サーバー５から課題達成情報を受信する。なお、ユーザー識別情報および運動情報の送信は、運動情報の計測時（リアルタイム送信）でも良いし、ユーザーが運動管理機器１または情報処理端末２に対して所定の操作を行った時でも良いし、運動管理機器１または情報処理端末２の電源ＯＮ時／ＯＦＦ時、若しくは所定の時刻（毎日０時に送信するなど）でも良い。
【００３７】
Ｃ通信部２５は、通信手段Ｃに基づいてＰＯＳプリンター４と通信を行う。通信手段Ｃとしては、近距離無線通信や赤外線通信などを用いる。Ｃ通信部２５は、識別情報記憶部２４から読み出したユーザー識別情報をＰＯＳプリンター４に送信する。コード読み取り部２６は、ＰＯＳプリンター４から発行された会計レシートＲ上の二次元コード６０を読み取る。情報処理端末２は、当該二次元コード６０に含まれるダウンロードキーまたはＵＲＬ（Uniform  Resource  Locator）を用いて、管理サーバー５から運動課題を受信し、これを表示部２２に表示する。運動課題は、文字（文章）、静止画像、動画等として表示される。
【００３８】
図３は、ＰＯＳプリンター４の機能構成を示すブロック図である。ＰＯＳプリンター４は、Ｃ通信部４１、識別情報取得部４２（取得部）、Ｄ通信部４３（送信部）、付加情報取得部４４、印刷部４５および会計情報取得部４６を備える。
【００３９】
Ｃ通信部４１は、通信手段Ｃに基づいて情報処理端末２と通信を行う。識別情報取得部４２は、Ｃ通信部４１を介して情報処理端末２からユーザー識別情報を取得する。Ｄ通信部４３は、通信手段Ｄに基づいて管理サーバー５と通信を行う。通信手段Ｄとしては、無線／有線ＬＡＮ通信、インターネット回線などを用いる。Ｄ通信部４３は、管理サーバー５に対しユーザー識別情報および運動課題要求（付加情報の送信要求）を送信すると共に、管理サーバー５から付加情報を受信する。
【００４０】
付加情報取得部４４は、Ｄ通信部４３を介して管理サーバー５から付加情報を取得する。会計情報取得部４６は、ＰＯＳ端末３による会計終了時に、当該ＰＯＳ端末３から会計情報を取得する。印刷部４５は、会計情報取得部４６で取得した会計情報および付加情報取得部４４で取得した付加情報を会計レシートＲとして印刷する。
【００４１】
図５は、会計レシートＲの構成を示す説明図である。同図に示すように、印刷部４５は、会計情報を印刷した後、続けて付加情報を印刷する。また、付加情報としては、二次元コード６０、クーポン情報の順に印刷する。なお、付加情報取得部４４で付加情報を取得しなかった場合（買い物をしたユーザーが運動課題を達成できていないと管理サーバー５が判定した場合）、印刷部４５は、会計情報のみを含む会計レシートＲ（図示省略）を印刷する。
【００４２】
なお、会計情報、二次元コード６０およびクーポン情報の印刷順序は、図５に示したものに限らず、任意である。また、各情報の間を切断し、１人のユーザーに対し複数枚のレシートを発行しても良い。また、会計レシートＲ上にクーポン情報を印刷するのではなく、情報処理端末２で二次元コード６０を読み取ることによりクーポン情報を取得可能な構成としても良い。
【００４３】
図４は、管理サーバー５の機能構成を示すブロック図である。管理サーバー５は、Ｂ通信部５１（第２の送信部）、第１の記録部５２（記録部）、第２の記録部５３、判定部５４、運動課題決定部５５およびＤ通信部５６（第１の送信部）を備える。
【００４４】
Ｂ通信部５１は、通信手段Ｂに基づいて情報処理端末２と通信を行い、ユーザー識別情報および運動情報を受信する。また、Ｂ通信部５１は、後述する判定部５４の判定結果に基づいて、運動課題を達成した旨を示す課題達成情報を情報処理端末２に送信する。
【００４５】
第１の記録部５２は、受信したユーザー識別情報および運動情報をデータベース５０に記録する。第２の記録部５３は、管理サーバー５が運動課題を提供したとき、提供したユーザーのユーザー識別情報および運動課題をデータベース５０に記録する。
【００４６】
図６は、データベース５０に記録される情報を示す説明図である。同図に示すようにデータベース５０には、ユーザー識別情報に関連付けて、過去に提供した運動課題と、運動情報の取得履歴と、課題を達成したか否かを示す情報と、クーポンを発行したか否かを示す情報と、が記録される。同図の一段目の例は、ユーザー識別情報「0001」のユーザーが、12/3  9:00の時点で「課題Ａ」を達成しており、既にクーポンが発行されている（つまり、課題達成後に買い物をして付加情報付きの会計レシートＲを受け取っている）ことを示す。また、同図の二段目の例は、同ユーザーが、次の課題（「課題Ｂ」）の取り組みを開始したものの、まだ課題は達成しておらず、クーポンも発行されていないことを示す。
【００４７】
図４の説明に戻る。Ｄ通信部５６は、通信手段Ｄに基づいてＰＯＳプリンター４と通信を行い、ユーザー識別情報および運動課題要求を受信する。判定部５４は、ＰＯＳプリンター４からこれらの情報を受信すると、データベース５０を参照して当該ユーザー識別情報に関連付けられた運動課題と運動情報を照合し、当該ユーザー識別情報のユーザーが、前回提供した運動課題を達成したか否かを判定する。
【００４８】
運動課題決定部５５は、判定部５４により運動課題を達成したと判定された場合、ユーザーに提供する新たな運動課題を決定する。本実施形態では、「課題Ａ」、「課題Ｂ」、「課題Ｃ」・・・など、課題解決ごとに予め定められた順序で新たな運動課題を決定する。その後Ｄ通信部５６は、付加情報として、ダウンロードキー（運動課題決定部５５により決定された新たな運動課題をダウンロードするためのキー）をコード化した二次元コード６０と、達成した運動課題に応じたクーポン情報をＰＯＳプリンター４に送信する。一方、判定部５４は、情報処理端末２からユーザー識別情報および運動情報を受信した際に、当該ユーザー識別情報のユーザーが運動課題を達成したか否かを判定する。Ｂ通信部５１は、判定部５４により運動課題を達成したと判定された場合は、その旨を示す課題達成情報を情報処理端末２に送信する。
【００４９】
図７は、情報処理端末２の表示部２２に表示される課題達成記録画面の表示例を示す図である。課題達成記録画面は、過去に提供された運動課題の一覧を表示する。また、各運動課題について、その内容（「ランニング１０Km」など）、達成したか否かを示す情報と、達成していない場合の達成度と、達成した場合に得られるクーポンの内容と、クーポン取得状況と、を表示する。図７の表示例は、図６に示すユーザー識別情報「０００１」の記録情報に対応する。つまり、同図の課題達成記録画面は、「課題Ａ」の「ランニング１０Km」については、課題を達成し「５００円クーポン」を取得したこと、「課題Ｂ」の「ランニング２０Km」については、まだ課題を達成しておらず、達成までは残り１５kmの走行が必要であること、課題を達成した場合には「１０００円クーポン」を入手できることを示す。
【００５０】
次に、図８のフローチャートを参照し、情報処理端末２および管理サーバー５によって実行される運動情報送信処理の流れを説明する。まず、情報処理端末２が、会計レシートＲに印刷された二次元コード６０を読み取ると（Ｓ０１）、ダウンロードキーを用いて管理サーバー５のデータベース５０から運動課題を取得し、これを表示部２２に表示する（Ｓ０２）。なお、運動課題を取得するためにアクセスするサーバーは、管理サーバー５以外のサーバーでも良い。
【００５１】
ユーザーが、表示された運動課題を目標として運動を開始すると（Ｓ０３）、情報処理端末２は、所定のタイミングで（専用アプリケーション２０の起動／終了時、ユーザー操作時など）、運動管理機器１から取得した運動情報を管理サーバー５に送信する（Ｓ０４）。管理サーバー５は、情報処理端末２から運動情報を受信すると、これをデータベース５０に記録し（Ｓ０５）、前回提供した課題を達成したか否かを判定する（Ｓ０６）。課題を達成していないと判定した場合は（Ｓ０６：Ｎｏ）、運動情報送信処理を終了するか、またはその旨の信号を情報処理端末２に送信する。このとき、達成までの残距離を示す情報を送信しても良い。また、課題を達成したと判定した場合は（Ｓ０６：Ｙｅｓ）、課題達成情報を情報処理端末２に送信する（Ｓ０７）。情報処理端末２は、これを受信し、課題達成記録画面（図７参照）に表示する（Ｓ０８）。
【００５２】
次に、図９のフローチャートを参照し、ＰＯＳプリンター４および管理サーバー５によって実行される運動課題提供処理の流れを説明する。ＰＯＳプリンター４は、ユーザーの会計時に、情報処理端末２からユーザー識別情報を取得し（Ｓ１１）、これを管理サーバー５に送信する（Ｓ１２）。管理サーバー５は、ユーザー識別情報を受信すると（Ｓ１３）、データベース５０を参照し、提供すべき運動課題が存在するか否かを判定する（Ｓ１４）。つまり、課題が達成され且つクーポンを発行していない運動課題が存在するか否かを判定し、運動課題が存在すると判定した場合は（Ｓ１４：Ｙｅｓ）、二次元コード６０およびクーポン情報を含む付加情報をＰＯＳプリンター４に送信する（Ｓ１５）。ＰＯＳプリンター４は、これを受信し（Ｓ１６）、ＰＯＳ端末３から取得した会計情報、管理サーバー５から取得した二次元コード６０およびクーポン情報を含む会計レシートＲを印刷する（Ｓ１７）。一方、提供すべき運動課題が存在しないと判定した場合は（Ｓ１４：Ｎｏ）、付加情報がない旨の信号をＰＯＳプリンター４に送信する（Ｓ１８）。ＰＯＳプリンター４は、これを受信し（Ｓ１９）、会計情報のみを含む会計レシートＲを印刷する（Ｓ２０）。
【００５３】
以上説明したとおり、本実施形態の運動課題提供システムＳＹによれば、運動課題を達成したユーザーに対して、次々に新たな運動課題を提供するため、ユーザーは目的意識を持って楽しみながら運動習慣を身につけることができる。また、ユーザーが店舗に赴き、買い物をすることによって新たな運動課題を入手できる構成であるため、ユーザーに外出の機会を与えて更なる運動効果が期待できると共に、ＰＯＳプリンター４を設置する店舗の集客効果も期待できる。また、ユーザーは、運動課題を達成したことを情報処理端末２の表示から知ることができる。これにより、新たな運動課題やクーポン情報を得るため、店舗へ赴こうとする意欲が高まり、会計処理時に運動課題が提供される（運動課題を入手するための二次元コード６０付き会計レシートＲが発行される）ことも相まって、店舗の販促効果が期待できる。
【００５４】
［変形例］
なお、上記の実施形態に限らず、以下の変形例を採用可能である。
例えば、上記の実施形態では、運動課題を達成した場合、その達成課題に応じたインセンティブとして、クーポン情報を提供したが、ポイントを付与し、そのポイント情報をユーザーに通知しても良い。また、会計金額から直接値引きを行うなど、インセンティブの種類およびその付与方法は問わない。
【００５５】
また、上記の実施形態では、運動管理機器１で計測した運動情報を、情報処理端末２を介して管理サーバー５に送信したが、運動管理機器１から直接管理サーバー５に送信しても良い。その場合、送信タイミングは、運動情報の計測時（リアルタイム送信）でも良いし、ユーザーが運動管理機器１に対して所定の操作を行った時でも良いし、運動管理機器１の電源ＯＮ時／ＯＦＦ時、または所定の時刻でも良い。また、ユーザーが店舗で買い物をしたときに、運動管理機器１からＰＯＳプリンター４を介して管理サーバー５に運動情報を送信しても良い。
【００５６】
また、上記の実施形態では、課題達成情報を報知する手段として、情報処理端末２に表示部２２を備えたが、ＬＥＤの点灯状態により課題達成した旨を報知するＬＥＤ点灯部、音声案内により課題達成した旨を報知する音声出力部、バイブレーションにより課題達成した旨を報知する振動部などを備えても良い。
【００５７】
また、上記の実施形態の判定部５４は、情報処理端末２からユーザー識別情報および運動情報を受信したとき、当該ユーザー識別情報のユーザーが運動課題を達成したか否かを判定したが、１時間毎など定期的に判定を行っても良い。また、情報処理端末２から問い合わせがあったときに判定を行っても良い。
【００５８】
また、上記の実施形態では、管理サーバー５により課題を達成したか否かを判定したが、専用アプリケーション２０により課題を達成したか否かを判定しても良い。この場合、専用アプリケーション２０（情報処理端末２）は、ＰＯＳプリンター４との通信をトリガーとして、次の運動課題を表示しても良い。
【００５９】
また、上記の実施形態では、会計処理を条件として会計レシートＲを印刷したが、買い物をしなくても、ユーザーが店員に課題取得を依頼し、情報処理端末２をＰＯＳプリンター４と通信させることで、二次元コード６０が印刷されたレシートを入手できる構成としても良い。また、ＰＯＳプリンター４ではなく、キオスク端末を用いてレシートを入手可能としても良い。なお、会計時以外にもレシートを入手できる構成の場合、会計時に印刷される二次元コード６０（運動課題）および／またはクーポン情報と、会計時以外に印刷される二次元コード６０および／またはクーポン情報と、を異なる内容としても良い。
【００６０】
また、会計レシートＲ（または会計処理を伴わないレシート）上に二次元コード６０を印刷するのではなく、運動課題そのもの（文字または画像で表されたもの）を印刷しても良い。
【００６１】
また、上記に示した運動課題提供システムＳＹの各構成要素をプログラムとして提供することが可能である。また、そのプログラムを各種記録媒体（ＣＤ−ＲＯＭ、フラッシュメモリー等）に格納して提供することも可能である。すなわち、コンピューターを運動課題提供システムＳＹの各構成要素として機能させるためのプログラム、およびそれを記録した記録媒体も、本発明の権利範囲に含まれる。
【００６２】
また、上記の実施形態では、運動課題として、ランニングの課題を提供する場合を例示したが、ウォーキング、水泳、ゴルフなど運動課題の種類は問わない。また、運動課題決定部５５は、各ユーザーから取得した運動情報（運動する間隔／頻度や運動時の生体情報の変化）を考慮して、次に提供する運動課題を決定しても良い。また、ユーザーの健康管理情報（年齢、性別、体重、身長、病歴など）をデータベース５０に登録しておき、当該健康管理情報を考慮して運動課題を決定しても良い。また、運動課題提供時のユーザーの現在位置（住所）周辺の天気、または運動課題提供後の所定期間における天気予報を考慮して運動課題を決定しても良い。さらに、複数の運動課題（屋内運動用、屋外運動用など）を提示し、その中からユーザーがいずれかを選択して運動しても良い。その他、本発明の要旨を逸脱しない範囲で、適宜変更が可能である。
【符号の説明】
【００６３】
１：運動管理機器  ２：情報処理端末  ３：ＰＯＳ端末  ４：ＰＯＳプリンター  ５：管理サーバー  ２０：専用アプリケーション  ５０：データベース  ６０：二次元コード  Ｒ：会計レシート  ＳＹ：運動課題提供システム
【図１】
2016118946.tif 000003
【図２】
2016118946.tif 000004
【図３】
2016118946.tif 000005
【図４】
2016118946.tif 000006
【図５】
2016118946.tif 000007
【図６】
2016118946.tif 000008
【図７】
2016118946.tif 000009
【図８】
2016118946.tif 000010
【図９】
2016118946.tif 000011